Podtech/llm-jp-corpus-v4-ja_patent huggingface dataset:
(57)【特許請求の範囲】
【請求項１】
ウォータジャッケット付ハウジングとローターで構成されたロータリーエンジンの混合気圧縮側のウォータージャケットに冷却水、クーラント、空気などの気体又は液体からなる冷却流体を流し、燃焼室側のウォータージャケットには排気ガス、又は排気ガスで加熱した液体又は気体からなる加熱流体を流し、エンジンを始動して１０分以上経過した時のエンジン運転時に、ハウジングの混合気圧縮側のウォータージャケットを流れる冷却流体に対して燃焼室側のウォータージャケットを流れる加熱流体の温度が少なくとも７０℃以上高くすることを特徴とするエンジンとこのエンジンを使ったシステム．
【発明の詳細な説明】
【技術分野】
【０００１】ロータリーエンジンを搭載した自動車や２輪車、電車、飛行機船舶等の乗り物や発電機、ポンプ、コンプレッサーなど。
【背景技術】
【０００２】近年、益々自動車のエンジンは小型化、高出力化、低燃費が求められ、エンジンの高効率化が求められている。
【発明が解決しようとする課題】
【０００３】ロータリーエンジンは４サイクルエンジンと比較して小型高出力と言う特徴を持つが、燃費が悪いと言う欠点を持つ。エンジンの冷却を高めてエンジンの温度を低くすると線膨張係数によって混合気が収縮するため、混合気の圧縮工程で圧力が低下し、ポンピングロスが下がるが、混合気が爆発して膨張するときにロータリーエンジンのハウジングに熱を奪われて爆発後の燃焼ガスの温度が低下し、ロータリーエンジンの燃焼室の圧力が低下し、ローターを押す力が低下してエンジン出力が低下する。つまり冷却ロスが大きくなり、出力や燃費が低下し、実行効率が低下する。本発明はロータリーエンジンのハウジングの温度の制御によって実行効率の高いロータリーエンジンを提供する。
【課題を解決するための手段】
【０００４】４サイクルエンジンは同一シリンダー内で混合気を圧縮し燃焼してピストンを押し下げてエンジン出力が発生する。しかしロータリーエンジンは混合気の圧縮室と燃焼室が分かれているため、ロータリーエンジンの圧縮室の部分はハウジングのウォータージャケットに冷却水を流して冷却して混合気の圧力を下げてポンピングロスを低下させ、燃焼室の部分はハウジングのウォータージャケットに排気ガスを流して排気熱で燃焼室を加熱し、燃焼室内の燃焼ガスの温度低下を抑制することによって燃焼室内の冷却損失による圧力低下を抑制して高いエンジン出力が得られる。
【発明の効果】
【０００５】ロータリーエンジンの実行効率が向上し、燃費とエンジン出力向上を同時に改善でき、４サイクルエンジンよりも小型高出力、低燃費エンジンが得られる。
【図面の簡単な説明】
【０００６】
【図１】本発明のロータリーエンジンの断面概念図である。１はハウジング、２はローター、３はエキセントリックシャフト、４はスパークプラグ、５は排気ポート、６は吸気ポート、７は燃焼室、８は圧縮室、９は加熱ジャケット、１０は水冷ジャケットである。１のハウジングの中の壁に沿って反時計回りにローター２が回転し、ローター２が自転しながら公転することによってエキセントリックシャフト３が反時計回りに回転し、外部に動力を出力する。ローターの回転によって圧縮室８の体積が拡大するときに吸気ポート６から混合気が入り、次に燃焼室の体積が狭くなるとともに混合気が圧縮され、混合気の体積が小さくなって高圧になった時にスパークプラグ４が点火し、混合気が燃焼する。混合気が燃焼して高温になることによって圧力が上昇し、燃焼室７の体積が膨張しながらローター２が進角し、ローター２のギアを反してエキセントリックシャフト３に回転力が伝わる。そして燃焼室の体積が収縮するときに排気ポート５から燃焼ガスが排出され、また吸気ポート６から次の混合気の吸気が始まる。圧縮室８を冷却するため、１０の水冷ジャケットに外部の空気によって冷やされた流体が流れる。一方、燃焼室７の温度を高温に保つため、加熱ジャケット９に排気熱によって加熱した流体が流れる。
【図１】
0006241814.tif 000002
(57)【特許請求の範囲】
【請求項１】
ハンガー本体の、左右の枝の内部に長溝を設け、その長溝の内部には、ハンガー終端の貫通穴を回動軸の中心として折り曲げ自在なアームを設け、さらにハンガー本体左右の枝部の側面と、当該アームの側面に貫通穴を設け、アームを開かない時は、アームはハンガー枝部の長溝に収納され、且つ、ハンガー本体左右の枝部とアームの貫通穴の場所が一致し、その貫通穴を利用してハンガーが掛けられ、一方、アームを終端の貫通穴を回動軸として、いわゆるＷの字型となるところまで開き、ハンガー本体の左右の端部に設けた突起でアームを留める事で、ハンガー端部の回動軸である終端の貫通穴、および枝部の貫通穴と、アームの貫通穴に多数のハンガーをかけられるハンガー。
【発明の詳細な説明】
【技術分野】
【０００１】本発明は、ハンガーをかける機能を有した高機能ハンガーである。
【背景技術】
【０００２】従来、ハンガーは室外であれば物干竿、室内であればクローゼットの洋服掛け、物干竿や建具の枠やフック等に引っ掛けることで使用していた。
【先行技術文献】
【特許文献】
【０００３】
【特許文献１】登録実用新案第３１６５２７５号
【発明の概要】
【発明が解決しようとする課題】
【０００４】雨天や、花粉症の時期等室内に洗濯物を干す際で、室内に物干竿がかけられない場合、または室外でも物干竿がないため洗濯物を大量に干せない場合があった。
本発明は、以上の問題点を解決するためになされたものである。
【課題を解決するための手段】
【０００５】ハンガーの側面に複数の穴の開いた枝部を有し、且つハンガー本体の長溝から枝部の両端を回動軸に側面に複数の穴の開いたアームが出てきて、ハンガー本体の左右の枝部の端部に有する留め具によりＷの字型で固定。それらの穴にハンガーを差し込み、洗濯物を干すことを可能にした。
【発明の効果】
【０００６】従来、一つのハンガーを一つのフックにかけることでしか対応できず、多くの洗濯物を干すことが不可能でしたが、本発明により、多くのハンガーを一つのフックを使用して洗濯物を干すことを可能にし、物干竿が不要となることを可能とした。
本発明は、アームをたたんだ状態でも同様の効果を得られ、またそれ自体が一つのハンガーとして使用することもできるので、洗濯物の量により使用方法を変えて対応することができ、また、収納スペースにも困らないのである。
【図面の簡単な説明】
【０００７】
【図１】本発明の斜視図（アームをたたんだ状態）
【図２】本発明の斜視図（アームを広げた状態）
【図３】本発明のＡ−Ａ’部分拡大図
【発明を実施するための形態】
【０００８】以下、本発明の実施の形態を説明する。
（イ）ハンガー（１）本体の左右側面にハンガーを引っ掛ける貫通穴（２）を複数設ける。
（ロ）ハンガー（１）本体の左右に分かれた枝部は同形の２枚の板により構成され、長溝（７）を有する。その長溝（７）には、ハンガー（１）本体の左右の枝部終端の貫通穴（３）を回動軸の中心として開くアーム（４）をハンガー（１）の長溝（７）に挟み込むように設ける。尚、回動軸となる終端の貫通穴（３）は、ハンガー（１）本体の枝部の端部の貫通穴と、アームの一方の端部の貫通穴の両方に同一の円筒を差し込み構成され、アーム（４）は、その円筒を中心に回転する。
（ハ）アーム（４）の側面には、アームを閉じている際、ハンガー（１）の枝部にある貫通穴と同じ位置となる貫通穴（５）を複数設ける。これにより、アーム（４）を閉じているときは、各アーム（４）の貫通穴（３）とハンガー（１）の枝部にある貫通穴（２）は同位置に合わさり、他のハンガーを掛ける事が出来る。
（ニ）アーム（４）は、終端の貫通穴（３）にある円筒を回動軸として回転させると、長溝（７）より飛び出し、ハンガー（１）本体の左右の終端に設けられた突起（６）にアーム（４）が引っ掛かり固定される。
（ホ）両側のアーム（４）が開いた状態はちょうどＷの字形となり、ハンガー（１）の左右の枝の貫通穴（２）と、回動軸の貫通穴（３）、およびアーム（４）の貫通穴（５）のそれぞれに他のハンガーを掛ける事が出来る。
本発明は以上のような構造である。
本発明を使用する時は、物干竿や、引っ掛けられるフックのようなものにハンガー（１）を掛ける。以降、以下３通りの使用方法がある。
（イ）ハンガー（１）に洋服をかけて、通常のハンガーとして使用する。
（ロ）ハンガー（１）の側面の穴（２）、及び回動軸である終端の貫通穴（３）にハンガーを引っ掛ける。そのハンガーに洋服をかけて使用する。
（ハ）ハンガー（１）の内部に収納してあるアーム（４）を取り出し、終端の貫通穴（３）を回動軸としたアーム（４）を開きＷの字型にし、それぞれ側面の貫通穴（２）、（３）、（５）にハンガーを引っ掛ける。そのハンガーに洋服をかけて使用する。
【符号の説明】
【０００９】１．ハンガー、２．貫通穴（終端以外）、３．終端の貫通穴、４．アーム、
５．アームの貫通穴、６．突起  ７．長溝
【図１】
0006069744.tif 000002
【図２】
0006069744.tif 000003
【図３】
0006069744.tif 000004
(57)【特許請求の範囲】
【請求項１】
0006073504.tif 000049
0006073504.tif 000050
【請求項２】
0006073504.tif 000051
0006073504.tif 000052
【請求項３】
0006073504.tif 000053
0006073504.tif 000054
【請求項４】
0006073504.tif 000055
0006073504.tif 000056
【発明の詳細な説明】
【技術分野】
【０００１】
本発明は通信分野に関し、特にチャネル状態情報フィードバック方法及び端末に関する。
【背景技術】
【０００２】
無線通信システムでは、送信端及び受信端は空間多重化の方式で複数本のアンテナを用いてより高いレートを取得する。普通の空間多重化方法に対して、強化された技術は、受信端がチャネル情報を送信端にフィードバックし、送信端が取得されたチャネル情報に基づいて一部の送信プリコーディング技術を用いることにより、大幅に伝送性能を向上させることである。シングルユーザ多入力多出力（Ｍｕｌｔｉ−ｉｎｐｕｔ  Ｍｕｌｔｉ−ｏｕｔｐｕｔ、ＭＩＭＯ）において、直接にチャネル特徴ベクトル情報でプリコーディングを行い、マルチユーザＭＩＭＯにおいて、正確なチャネル情報が必要である。
【０００３】
ロングタームエボリューション（Ｌｏｎｇ  Ｔｅｒｍ  Ｅｖｏｌｕｔｉｏｎ、ＬＴＥ）計画では、チャネル情報のフィードバックは、主に簡単な単一コードブックのフィードバック方法を用いるが、ＭＩＭＯの送信プリコーディング技術の性能は、そのうちのコードブックフィードバックの正確性に依存する。
【０００４】
0006073504.tif 000002
【０００５】
0006073504.tif 000003
【０００６】
0006073504.tif 000004
【０００７】
0006073504.tif 000005
0006073504.tif 000006
【０００８】
0006073504.tif 000007
【０００９】
0006073504.tif 000008
【００１０】
0006073504.tif 000009
【００１１】
0006073504.tif 000010
0006073504.tif 000011
0006073504.tif 000012
0006073504.tif 000013
0006073504.tif 000014
【００１２】
0006073504.tif 000015
0006073504.tif 000016
【００１３】
0006073504.tif 000017
【００１４】
0006073504.tif 000018
0006073504.tif 000019
【００１５】
0006073504.tif 000020
【００１６】
0006073504.tif 000021
【００１７】
0006073504.tif 000022
0006073504.tif 000023
【００１８】
0006073504.tif 000024
0006073504.tif 000025
【図面の簡単な説明】
【００１９】
【図１】図１は、本発明の実施例に係るチャネル状態情報フィードバック方法の模式図である。
【図２】図２は、本発明の実施例に係るチャネル状態情報フィードバック方法の模式図である。
【図３】図３は、本発明の実施例に係るチャネル状態情報フィードバック方法の模式図である。
【図４】図４は、本発明の実施例に係るチャネル状態情報フィードバック方法の模式図である。
【図５】図５は、本発明の実施例に係る端末のブロック図である。
【図６】図６は、本発明の実施例に係る端末のブロック図である。
【図７】図７は、本発明の実施例に係る端末のブロック図である。
【図８】図８は、本発明の実施例に係る端末のブロック図である。
【００２０】
0006073504.tif 000026
0006073504.tif 000027
0006073504.tif 000028
0006073504.tif 000029
【００２１】
0006073504.tif 000030
【００２２】
0006073504.tif 000031
0006073504.tif 000032
【００２３】
0006073504.tif 000033
0006073504.tif 000034
【００２４】
0006073504.tif 000035
【００２５】
0006073504.tif 000036
【００２６】
0006073504.tif 000037
【００２７】
0006073504.tif 000038
【００２８】
0006073504.tif 000039
【００２９】
0006073504.tif 000040
【００３０】
0006073504.tif 000041
【００３１】
0006073504.tif 000042
【００３２】
0006073504.tif 000043
【００３３】
0006073504.tif 000044
【００３４】
0006073504.tif 000045
【００３５】
0006073504.tif 000046
0006073504.tif 000047
【００３６】
0006073504.tif 000048
【図１】
0006073504.tif 000057
【図２】
0006073504.tif 000058
【図３】
0006073504.tif 000059
【図４】
0006073504.tif 000060
【図５】
0006073504.tif 000061
【図６】
0006073504.tif 000062
【図７】
0006073504.tif 000063
【図８】
0006073504.tif 000064